(57)【要約】【課題】外観及び断熱性能の選択性が高く、できるだけ部品の共用化を図ってコストを低くしたサッシを提供する。【解決手段】枠体１は、金属下枠１１の室内側に室内樹脂下枠１２が設けられ、金属縦枠３１の室内側に室内樹脂縦枠３２が設けられ、金属縦枠の室内障子が配される側には突出部３１ｂが、室外障子が配される側には第１係合部と、突出部と見込方向略同位置に第２係合部とが、それぞれ形成され、金属障子と低断熱障子のいずれか１種を選択して枠体に納め、金属障子の場合の室内樹脂縦枠３２は、室外障子が配される側で室外側端部が第２係合部に係合し、低断熱障子の場合の室内樹脂縦枠３２は、室外障子が配される側では金属縦枠に固定される固定部と、固定部より室外側に延出し第２係合部を跨ぐと共に室外側端部が第１係合部に係合される延長部とを有する。【選択図】図５
2010281200.tif 000002
【特許請求の範囲】
【請求項１】
上下枠及び左右の縦枠を枠組みしてなる枠体に室内外障子を走行自在に納めてなるサッシにおいて、
上記枠体は、金属材からなり上面に上記室内外障子をそれぞれ案内する室内外レールが形成された金属下枠と、該金属下枠に形成される上記室内レールの室内側に設けられ金属下枠を覆う室内樹脂下枠とから構成される下枠と、金属材からなる金属縦枠と、該金属縦枠の上記室内外障子が配される位置よりも室内寄りに設けられ金属縦枠を覆う室内樹脂縦枠とから構成される縦枠とを有し、
上記金属縦枠は、上記室内障子が配される側には上記室内障子の側面に跨がれる突出部が形成され、上記室外障子が配される側には上記室外障子の室内面近傍位置に第１係合部を備え、該第１係合部よりも室内側であって上記突出部と見込方向略同位置に第２係合部を備え、
金属框体に複層ガラスを納めて構成される金属障子と、
室外側の金属框体と、該金属框体の室内側面を覆い板状に形成される樹脂框体とからなる低断熱框体に複層ガラスを納めて構成される低断熱障子と、
のいずれか１種を選択して上記枠体に納め、
上記金属障子を選択した場合の室内樹脂縦枠は、上記室内障子が配される側では室外側端部が上記突出部に係合し、上記室外障子が配される側では室外側端部が上記第２係合部に係合し、
上記低断熱障子を選択した場合の室内樹脂縦枠は、上記室内障子が配される側では室外側端部が上記突出部に係合し、上記室外障子が配される側では上記金属縦枠に固定される固定部と、該固定部より室外側に延出し上記第２係合部を跨ぐと共に室外側端部が上記第１係合部に係合される延長部とを有することを特徴とするサッシ。
【発明の詳細な説明】
【技術分野】
【０００１】
本発明は建物躯体の開口部に取付けられ引き違い状の障子を納めたサッシに関し、特に外観及び断熱性能を選択できるサッシに関する。
【背景技術】
【０００２】
従来から、建物躯体の開口部に取付けられるサッシは、地域ごとに使い分けがなされている。樹脂は金属に比べて断熱性が高いため、樹脂材を用いたサッシは断熱性が高く、したがって寒い地域ほど樹脂材を用いたサッシを採用することが省エネルギーの観点から好ましい。また、樹脂材は腐食することがなく、成形や加工が容易であることから、木製の部材に比べて広く用いられている。そこで、断熱性を必要とする寒冷な地域向けには、全て樹脂材からなる樹脂サッシまたは金属材と樹脂材を組み合わせた複合サッシが用いられる。樹脂サッシは断熱性が非常に高く、複合サッシは樹脂サッシに比べると安価であると共に、金属部分があるために防火性を高くすることができる。一方、断熱性をそれほど必要としない地域向けには、全てアルミなどの金属材からなる金属サッシが用いられる。
【０００３】
ここで、複合サッシとしてはアルミ熱遮断構造サッシと、アルミ樹脂複合サッシとが知られている。アルミ熱遮断構造サッシは、金属材を室内側と室外側に分離し、その間に樹脂材を挟み込んだものである。アルミ樹脂複合サッシは、室外側に金属材を設け、その室内側露出面を樹脂材で被覆したものである。
【０００４】
アルミ熱遮断構造サッシは、樹脂材が室内側と室内側の金属材を連結した構成となっているため、樹脂材と金属材を強固に固定する必要がある。そこで、カシメによる固定がなされている。しかし、カシメにより金属材と樹脂材を固定した場合、後で両者を分離することは困難であるため、リサイクルしにくいという問題がある。
【０００５】
一方、アルミ樹脂複合サッシは、金属材の室内側に樹脂材を配設したものであるため、両者の固定は必ずしもカシメによる必要はなく、樹脂材を金属材から容易に分離できるように構成することができる。このため、リサイクルしやすいものであると共に、樹脂材のみの交換が可能であるとの利点を有している。また、樹脂材には様々な色や模様を付けることができるので、室内側からの意匠性を高めることができる。
【０００６】
近年、サッシに対してはリサイクルの容易さや意匠性についての要請が強く、このため複合サッシとしてはアルミ樹脂複合サッシを用いる方が有利である。本発明は、このアルミ樹脂複合サッシを含むものであり、従来例として例えば特許文献１に挙げるようなものがある。また、アルミ熱遮断構造サッシの従来例としては特許文献２に挙げるようなものがある。
【先行技術文献】
【特許文献】
【０００７】
【特許文献１】特許第３５０７０３１号公報
【特許文献２】特開平８−１３５３１１号公報
【０００８】
サッシの材質については、地域ごとに省エネルギー基準が定められており、この基準を満たすサッシを用いることにより、住宅を建設する際の融資額が増額されるなどの優遇を受けることができる。また、住宅完成後は地域に応じた断熱性により光熱費を節約することができる。
【０００９】
サッシの省エネルギー基準としては、例えば次世代省エネルギー基準（平成１１年建設省告示第９９８号）がある。この基準について一部抜粋したものを表１に示す。表２には、各地域区分に該当する都道府県名を示している。表１には、各地域区分での（１）熱貫流率の基準と、（２）建具及びガラスの仕様の基準とを示しており、次世代省エネルギー基準としては、（１）または（２）のいずれかの基準を満たせばよい。すなわち、建具及びガラスの仕様にかかわらず、熱貫流率を基準値以下とするか、熱貫流率の値にかかわらず、建具及びガラスを所定の仕様とすることにより、省エネルギー基準をクリアすることになる。
【００１０】
【表１】
2010281200.tif 000003
【００１１】
【表２】
2010281200.tif 000004
【００１２】
表２に示すように、地域区分I及びIIは、最も寒冷な地域のことであり、北海道及び東北北部地域である。また、地域区分IIIは、次に寒冷な地域のことであり、東北南部と上信越、北関東及び北陸地域である。さらに、地域区分IV及びVは、温暖な地域のことであり、関東南部、東海、近畿、中国、四国、及び九州地域である。そして、地域区分VIは、さらに温暖な地域のことであり、沖縄県である。
【００１３】
表１において建具の仕様及びガラスの仕様に着目すると、一重のサッシの場合、地域区分I及びIIでは、全て樹脂材から構成される樹脂サッシまたは全て木材から構成される木製サッシ、及び上述のアルミ樹脂複合サッシのいずれかを採用することができる。この地域では主に樹脂サッシまたは空気層の大きな複合サッシが用いられる。そして、ガラスについては低放射複層ガラスが採用される。
【００１４】
地域区分IIIでは、樹脂サッシ、木製サッシ、アルミ樹脂複合サッシ、及びアルミ熱遮断構造サッシのいずれかを採用することができる。この地域では、樹脂サッシや木製サッシは断熱性能が過剰気味であるため、主に後２つのサッシが用いられる。そしてこの場合、アルミ樹脂複合サッシの方がリサイクルの容易さ及び意匠性の点において有利であることは上述のとおりである。ガラスについては単板２枚と複層ガラスのいずれかを選択できるが、通常複層ガラスが用いられる。
【００１５】
地域区分IV及びVでは、サッシの材質は問われない。このため主として低コストで製造できる金属材のみから構成される金属サッシが用いられる。ガラスについては単板２枚と複層ガラスのいずれかを選択できるが、通常複層ガラスが用いられる。
【発明の概要】
【発明が解決しようとする課題】
【００１６】
従来のサッシは、各地域毎に別々の仕様で構成されていた。そのため、金属材からなる部材と樹脂材からなる部材は、それぞれ異なる形状、寸法で形成されていた。
ところで、地域区分IV及びVの地域においては、サッシの意匠性を重視するために、室内側を樹脂材から構成するアルミ樹脂複合サッシを設けたいとのニーズがある一方で、最低限の断熱基準を満たすことを条件にできるだけコストを抑えるために、金属サッシを設けたいとのニーズもある。
【００１７】
前者の場合には地域区分III用のアルミ樹脂複合サッシを採用することもできるが、地域区分IV及びVの地域で用いるには断熱性能が過剰であり、コストが大幅に増加する。また、後者のニーズもあるために金属サッシも製造する必要があって、これらがそれぞれ別々の仕様であることから、製造コストが高くなっていた。
【００１８】
本発明は、上記課題を解決すべくなされたものであり、外観及び断熱性能の選択性が高く、できるだけ部品の共用化を図ってコストを低くしたサッシを提供することを目的とする。
【課題を解決するための手段】
【００１９】
前記課題を解決するため、本発明に係るサッシは、上下枠及び左右の縦枠を枠組みしてなる枠体に室内外障子を走行自在に納めてなるサッシにおいて、
上記枠体は、金属材からなり上面に上記室内外障子をそれぞれ案内する室内外レールが形成された金属下枠と、該金属下枠に形成される上記室内レールの室内側に設けられ金属下枠を覆う室内樹脂下枠とから構成される下枠と、金属材からなる金属縦枠と、該金属縦枠の上記室内外障子が配される位置よりも室内寄りに設けられ金属縦枠を覆う室内樹脂縦枠とから構成される縦枠とを有し、
上記金属縦枠は、上記室内障子が配される側には上記室内障子の側面に跨がれる突出部が形成され、上記室外障子が配される側には上記室外障子の室内面近傍位置に第１係合部を備え、該第１係合部よりも室内側であって上記突出部と見込方向略同位置に第２係合部を備え、
金属框体に複層ガラスを納めて構成される金属障子と、
室外側の金属框体と、該金属框体の室内側面を覆い板状に形成される樹脂框体とからなる低断熱框体に複層ガラスを納めて構成される低断熱障子と、
のいずれか１種を選択して上記枠体に納め、
上記金属障子を選択した場合の室内樹脂縦枠は、上記室内障子が配される側では室外側端部が上記突出部に係合し、上記室外障子が配される側では室外側端部が上記第２係合部に係合し、
上記低断熱障子を選択した場合の室内樹脂縦枠は、上記室内障子が配される側では室外側端部が上記突出部に係合し、上記室外障子が配される側では上記金属縦枠に固定される固定部と、該固定部より室外側に延出し上記第２係合部を跨ぐと共に室外側端部が上記第１係合部に係合される延長部とを有することを特徴として構成されている。
【発明の効果】
【００２０】
本発明に係るサッシによれば、枠体に対し金属障子と低断熱障子のいずれかを選択して納めることができ、地域に応じた断熱性能を有したサッシとすることができる。また、第２係合部を有する金属縦枠をいずれの場合にも共用化でき、さらには金属障子を選択した場合に室内樹脂縦枠を左右同形状とすることができ、部品の共用化を図ることができるので、さらに低コスト化することができると共に、低断熱障子を選択した場合に室内樹脂縦枠を第２係合部と干渉することなく取付けることができる。
【図面の簡単な説明】
【００２１】
【図１】本実施形態における枠体及び障子の組み合わせを示した図である。
【図２】低断熱枠体に金属障子を納めたサッシの縦断面図である。
【図３】図２のサッシの横断面図である。
【図４】低断熱枠体に低断熱障子を納めたサッシの縦断面図である。
【図５】図４のサッシの横断面図である。
【図６】高断熱枠体に高断熱障子を納めたサッシの縦断面図である。
【図７】図６のサッシの横断面図である。
【発明を実施するための形態】
【００２２】
本発明の実施形態について図面に沿って詳細に説明する。図１は本実施形態における枠体及び障子の組み合わせを示した図である。本実施形態におけるサッシの基本構成は、建物開口部に取付けられる枠体１内に、外障子４と内障子５を引き違い状に納め、さらにその室外側には網戸６を納めてなるものである。枠体１は、下枠１０と上枠２０及び左右の縦枠３０、３０を方形状に枠組みして構成されるものであり、また外障子４と内障子５は、下框４０と上框５０及び左右の縦框６０、６０を方形状に框組みして框体２を構成し、その内部にガラス体３を納めてなるものである。
【００２３】
図１の左側は、３種類の枠体１の下枠１０を示している。また、図１の右側は、３種類の外障子４と内障子５を示している。図１（Ａ）に示す下枠１０は、金属材からなる金属下枠１１と、その室内側端部を覆う室内樹脂下枠１３とから構成される低断熱下枠である。図１（Ｂ）に示す下枠１０は、低断熱下枠の上面に中間樹脂下枠１２ａを設けて構成される中断熱下枠である。図１（Ｃ）に示す下枠１０は、中断熱下枠の室内側面に端面樹脂下枠１２ｂを設けて構成される高断熱下枠である。
【００２４】
図１（Ａ）に示す低断熱下枠を有する低断熱枠体は、低コストであるが断熱性能は低い。この低断熱枠体は、主にサッシ室内側部の結露を防止することができる。図１（Ｂ）に示す中断熱下枠を有する中断熱枠体は、中程度のコストで中程度の断熱性能が得られる。図１（Ｃ）に示す高断熱下枠を有する高断熱枠体は、高コストであるが断熱性能は高い。このため、図１（Ａ）の低断熱枠体は、地域区分IV及びV向けのサッシとして採用することができ、図１（Ｂ）の中断熱枠体及び図１（Ｃ）の高断熱枠体は、地域区分III向けのサッシとして採用することができる。
【００２５】
図１（ａ）に示す外障子４と内障子５は、金属材からなる框体２に複層ガラスからなるガラス体３を納めて構成された金属障子である。図１（ｂ）に示す外障子４と内障子５は、金属材の室内露出面に板状の樹脂材を配設してなる框体２に、複層ガラスからなるガラス体３を納めて構成された低断熱障子である。図１（ｃ）に示す外障子４と内障子５は、金属材の室内露出面に断面中空状の樹脂材を配設してなる框体２に、複層ガラスからなるガラス体３を納めて構成された高断熱障子である。したがって、図１（ａ）に示す金属障子は断熱性能が低く、図１（ｂ）に示す低断熱障子は中間的な断熱性能を有し、図１（ｃ）に示す高断熱障子は断熱性能が高い。
【００２６】
ここで、それぞれの外障子４と内障子５は、各障子の下端部に設けられる戸車４３、４３の間の寸法が、相互に同一である。また、それぞれの枠体１は、その下枠１０上面に形成される外レール１１ａと内レール１１ｂのレール芯間の寸法が、相互に同一であり、かつ上記各障子の戸車４３、４３の間の寸法と同一である。したがって、各障子はいずれの枠体１にも納めることができるようにされている。
【００２７】
図１（Ａ）の低断熱枠体には図１（ａ）の金属障子または図１（ｂ）の低断熱障子が選択的に納められる。また、図１（Ｂ）の中断熱枠体には図１（ｃ）の高断熱障子が納められる。さらに、図１（Ｃ）の高断熱枠体には図１（ｃ）の高断熱障子が納められる。サッシを設置する地域に応じて図１（Ａ）の枠体１または図１（Ｂ）ないし図１（Ｃ）の枠体１を選択し、図１（Ａ）を選択した場合にはさらに、金属障子ないし低断熱障子を選択することで外観を選択し、これにより全４パターンのサッシを構成することができる。
【００２８】
これら４パターンのサッシについて、それぞれ詳細に説明する。図２には地域区分IVないしV向けのサッシの縦断面図を、図３にはその横断面図を示す。図２と図３に示すサッシは、図１（Ａ）の低断熱枠体を選択し、それに図１（ａ）の金属障子を選択して納めて構成されるものである。
【００２９】
枠体１は、金属材からなる金属下枠１１と金属上枠２１及び左右の金属縦枠３１、３１を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００３０】
金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、金属上枠２１の下面には、その長手方向略全長に渡って外レール２１ａと内レール２１ｂ及び網戸レール２１ｃが形成されている。これらは金属下枠１１の各レールと対応した位置に形成されており、それぞれ外障子４と内障子５及び網戸６をサッシの長手方向に案内する。
【００３１】
金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００３２】
枠体１の室内側端部には、四周に渡って室内樹脂枠が設けられている。金属下枠１１の室内側端部には、室内樹脂下枠１３が設けられる。この室内樹脂下枠１３は、内レール１１ｂと金属下枠１１の室内面との間に形成される凹部内に納められ、さらに金属下枠１１の室内面よりも室内側に向かって延出する室内延出部１３ａを有してなるものである。
【００３３】
金属上枠２１の室内側端部に設けられる室内樹脂上枠２３も、同様に内レール２１ｂと金属上枠２１の室内面との間に形成される凹部内に納められ、さらに金属上枠２１の室内面よりも室内側に向かって延出する室内延出部２３ａを有してなる。また、金属縦枠３１の室内側端部に設けられる室内樹脂縦枠３３は、内障子５が閉じた状態でそれと対向する側の金属縦枠３１に対しては、内突出部３１ｂよりも室内側に設けられ、さらに室内側に向かって延出する室内延出部３３ａを有してなる。外障子４が閉じた状態でそれと対向する側の金属縦枠３１に対しても、同形状の室内樹脂縦枠３３が設けられる。
【００３４】
このサッシでは、枠体１の内周面の一部は金属材が室内側に露出した状態となることから、断熱性については十分に確保されないものの、室内樹脂枠が枠体１の四周に渡って設けられることで、枠体１が金属材のみから構成される場合に比べれば断熱性はやや高く、また室内側から見た意匠性を良好にすることができる。
【００３５】
このサッシにおいて框体２は、金属材からなる金属下框４１と金属上框５１及び左右の金属縦框６１、６１を方形状に框組みし、内部に複層ガラスからなるガラス体３をグレチャン７を介し納めて構成される。金属下框４１の下端部には戸車４３が設けられ、外レール１１ａまたは内レール１１ｂに載置されることで、障子を下枠１０のレール上で走行自在とする。
【００３６】
低断熱枠体に金属障子を納めたサッシは、以上のような構成からなるものである。框体２に納められるガラス体３には複層ガラスを採用することにより、地域区分IVないしV向けの断熱基準を満たしつつ、できるだけコストを抑えたサッシとすることができる。
【００３７】
次に、地域区分IVないしV向けであっても、室内側に樹脂材を配設して意匠性の向上を図るため、低断熱枠体に低断熱障子を納めて構成したサッシについて説明する。図４には、この場合のサッシの縦断面図を、図５にはその横断面図を示す。これら各図のサッシは、図１（Ａ）の低断熱枠体を選択し、それに図１（ｂ）の低断熱障子を選択し納めて構成したものである。
【００３８】
この場合、枠体１は図１（Ａ）を選択しているから、上述した図２及び図３のサッシの枠体１と基本的には共通している。ただし、図５に示すように外障子４が配置される側の金属縦枠３１に取付けられる室内樹脂縦枠３３は、金属材ができるだけ室内側に露出しないように、内障子５が配置される側の金属縦枠３１に取付けられる室内樹脂縦枠３３よりも室外側に延長した延長部３３ｂを有して構成される。延長部３３ｂは、外障子４を閉じた状態におけるその室内面の近傍位置まで延長されている。枠体１のこれ以外の構成については、図２及び図３で説明したサッシと共通である。
【００３９】
次に、外障子４と内障子５について説明する。これらを構成する框体２は、室外側に金属材を配し、室内側に樹脂材を配した複合材からなるものである。複合材は通常、室内側から見たサッシの意匠性の向上と、断熱性を向上させるために用いられる。しかし、地域区分IVないしV向けの断熱基準は、上述のように複層ガラスを用いればよく、通常の複合材を用いた場合には、断熱性能が過剰となってコストが高くなる。したがって、地域区分IVないしV向けのサッシに用いる複合材は、室内側から見た意匠性を向上させる機能さえ有していればよい。このため、この場合の框体２に設けられる樹脂材は、板状に形成されている。
【００４０】
ここで、サッシの断熱基準を示した表１によれば、樹脂材が板状であってもアルミ樹脂複合サッシであれば、地域区分III向けの建具の仕様を満たすことになる。しかし、樹脂材が板状の場合には、同じく表１に示す地域区分III向けのサッシ熱貫流率の基準を満たさないので、結局地域区分III向けには用いることは望ましくない。一方でこのサッシは、地域区分IV向けの建具の仕様及び熱貫流率の基準はいずれも満たしているので、地域区分IV向けとしては好適に用いることができる。
【００４１】
下框４０は、室外側の金属下框４１と、その室内面に取付けられる板状の樹脂下框４２とから構成されている。樹脂下框４２は、金属下框４１に係合し固定される。下框４０の上部は、グレチャン７を挟持しガラス体３を納めることができるように、凹形状とされており、その室外側は金属下框４１、室内側は樹脂下框４２により構成されている。すなわち、ガラス体３の室外面は金属下框４１により支持され、室内面は樹脂下框４２により支持されている。また、下框４０の下端部には、戸車４３が設けられて、外障子４は外レール１１ａに、内障子５は内レール１１ｂに、それぞれ載置される。
【００４２】
上框５０は、室外側の金属上框５１と、その室内面に取付けられる板状の樹脂上框５２とから構成されている。樹脂上框５２は、金属上框５１に係合し固定される。上框５０においても、それに納められるガラス体３は、室外面を金属上框５１により、室内面を樹脂上框５２により、それぞれ支持される。
【００４３】
縦框６０は、枠側縦框６０ａと召合せ框６０ｂとで形状が異なる。枠側縦框６０ａは、左右いずれも室外側の金属縦框６１と、その室内面に取付けられる板状の樹脂縦框６２とから構成されている。召合せ框６０ｂは、外障子４側は金属材からなる召合せ金属框６３のみから構成され、内障子５側は召合せ金属框６３と、その室内露出面に取付けられる板状の召合せ樹脂框６４とから構成される。召合せ金属框６３、６３は、互いに対向する面にそれぞれ煙返し部６３ａ、６３ａを有し、それらが互い違いとなってサッシの気密性を確保している。
【００４４】
また、内障子５の召合せ金属框６３における室内露出面は、その室内面及び側面の二面あるため、召合せ樹脂框６４はそれらの面を覆うように断面略Ｌ字状とされている。また、召合せ樹脂框６４は召合せ金属框６３の室内面及びその背面となる室外面にそれぞれ係合し固定される。そのため、召合せ樹脂框６４の室外端部には略鉛直方向に突出する係合部６４ａが形成されている。
【００４５】
金属縦框６１は、グレチャン７を挟持しガラス体３を納める内周面を凹形状とされており、樹脂縦框６２はその先端に係合してグレチャン７に圧接する。したがって、縦框６０においても、ガラス体３の室外面は金属縦框６１により、室内面は樹脂縦框６２により、それぞれ支持される。これによって、樹脂縦框６２とグレチャン７とが連続状となって、金属縦框６１を室内側に露出させない美観のよいサッシとすることができる。
【００４６】
低断熱枠体に低断熱障子を納めてなるサッシについては、以上のような構成からなるものである。枠体１については、低断熱枠体を用いて低コストに抑える一方で、障子には板状の樹脂材で金属材の室内面を覆った複合材を用いた低断熱障子を選択しているため、断熱性はそれほど高くないものの室内側から見た場合の意匠性は通常の複合材と差異がなく、コストを抑えつつも意匠性の高いサッシとすることができる。さらに、図２及び図３のサッシと枠体１をほぼ共用しているため、部品の共用化を進めてさらなる低コスト化を図ることができる。
【００４７】
次に、地域区分III向けのサッシについて説明する。図６には、高断熱枠体に高断熱障子を納めたサッシの縦断面図を、図７にはその横断面図を示す。これら各図のサッシは、図１（Ｃ）の高断熱枠体を選択し、それに図１（ｃ）の高断熱障子を選択し納めて構成したものである。また、図６及び図７は、サッシを建物開口部に取付けた納まり図として示している。前２パターンのサッシについても、図示していないものの図６及び図７と同様の納まりで建物開口部に取付けられている。
【００４８】
枠体１は、金属材からなる金属下枠１１と金属上枠２１及び左右の金属縦枠３１、３１を方形状に枠組みしてそれが建物躯体に対して固定され、金属下枠１１の室内側には樹脂下枠１２を、金属上枠２１の室内側には樹脂上枠２２を、金属縦枠３１の室内側には樹脂縦枠３２を、それぞれ配設している。ここで、金属下枠１１及び金属縦枠３１については、前２パターンにおける枠体１の金属下枠１１及び金属縦枠３１と同一であり、部品を共用化している。
【００４９】
下枠１０については、金属下枠１１は上述のとおり前２パターンの金属下枠１１と同一である。また、室内端部に室内延出部１３ａを有した室内樹脂下枠１３を設けている点も同様である。樹脂下枠１２は、金属下枠１１の外レール１１ａと内レール１１ｂの間を覆う中間樹脂下枠１２ａと、金属下枠１１の室内面及び固定部１１ｄの室内面を覆う端面樹脂下枠１２ｂとから構成されている。
【００５０】
中間樹脂下枠１２ａは、外レール１１ａと内レール１１ｂの間のうち、外障子４と内障子５を閉じた状態で室内側に露出する部分のみに設けられる。すなわち、金属下枠１１の外障子４が配される図７では左半分の領域に中間樹脂下枠１２ａが設けられる。
【００５１】
端面樹脂下枠１２ｂは、上端部が室内樹脂下枠１３に当接しており、また下端部は固定部１１ｄの端部に係合固定されている。また、端面樹脂下枠１２ｂは金属下枠１１の長手方向略全長に渡って設けられる。このようにして端面樹脂下枠１２ｂは金属下枠１１の室内面の断熱性を向上させると共に結露を防止している。
【００５２】
上枠２０については、金属上枠２１をはじめ４つの部材から構成している。最も室外側には、金属上枠２１が設けられる。金属上枠２１には、建物躯体に対する固定部であるフィン８が形成され、また室外端部に網戸レール２１ｃが形成されると共に、網戸レール１１ｃより室内側に下枠１０の外レール１１ａに対応する外レール２１ａが形成される。
【００５３】
金属上枠２１の室内側には樹脂上枠２２が配設される。樹脂上枠２２は、金属上枠２１の外レール２１ａの下端部に係合して、外レール２１ａの室内側を構成すると共に、金属上枠２１の外レール１１ａより室内側の面を略覆っている。特に、金属上枠２１のフィン８より室内側では、金属上枠２１と樹脂上枠２２は重合状態とされている。
【００５４】
金属上枠２１と樹脂上枠２２の重合部分にさらに重合するように内レール金属材２４が設けられる。内レール金属材２４は、上枠２０の内レール２１ｂを有する断面略Ｔ字状に形成されてなるものである。そして、内レール金属材２４の室内面を覆うように室内樹脂上枠２３が設けられる。室内樹脂上枠２３は、金属上枠２１と樹脂上枠２２及び内レール金属材２４の重合部分にさらに重合し、また内レール金属材２４の内レール２１ｂを両面とも被覆し、さらに内レール金属材２４の室内側部をも被覆すると共に、室内側に延出する室内延出部２３ａを有してなるものである。
【００５５】
金属上枠２１と樹脂上枠２２、内レール金属材２４及び室内樹脂上枠２３の重合部分は、ネジ止めによりこれら４部材が固定される。また、内レール２１ｂより室内側において、内レール金属材２４と室内樹脂上枠２３とが重合状態で建物躯体に対し固定される。上枠２２はこれら４部材から構成されることで、金属材により外レール２１ａと内レール２１ｂの強度を確保しつつ、室内面を樹脂材で被覆できるので、サッシの断熱性及び意匠性を向上させることができる。
【００５６】
縦枠３０については、金属縦枠３１は上述のとおり前２パターンの金属縦枠３１と同一である。また、室内端部に室内延出部３３ａを有した室内樹脂縦枠３３を設けている点も同様である。この室内樹脂縦枠３３は、地域区分IVないしVにおいて複合材を用いたサッシにおける室内樹脂縦枠３３と同一のものである。そして、この室内樹脂縦枠３３が樹脂縦枠３２に相当する。
【００５７】
次に、サッシの建物開口部に対する納まりについて説明する。図６に示すように、下枠１０については、金属下枠１１のフィン８と、端面樹脂下枠１２ｂと固定部１１ｄの重合部分にて建物躯体７０に対してビス止めがなされる。金属下枠１１は、端面樹脂下枠１２ｂを設けることなく固定部１１ｄだけの状態でも建物躯体７０に対して固定することができる。すなわち、中断熱枠体や低断熱枠体の場合でも、同じ金属下枠１１を用いることができ、部品の共用化を図ることができる。
【００５８】
また、下枠１０の室内面より室内側には、木製の下額縁材７３が設けられる。下額縁材７３は、平板状であってその上面が室内樹脂下枠１３の室内延出部１３ａの上面と同一平面状とされている。そして、室内樹脂下枠１３の室内延出部１３ａと下額縁材７３はネジ止めにより固定されている。端面樹脂下枠１２ｂは、金属下枠１１の室内側面を覆うと共に、その上端部が下額縁材７３に当接している。すなわち、端面樹脂下枠１２ｂは金属下枠１１が下額縁材７３に触れないように被覆しており、下枠１０の断熱性を高める機能を有している。
【００５９】
建物躯体７０の室外側であって下枠１０の室外部下方には、外壁７１が配置される。また、建物躯体７０の室内側であって下額縁材７３の下方には、下額縁材７３と当接するように内壁７２が配置される。
【００６０】
上枠２０については、金属上枠２１のフィン８が建物躯体７０に対してビス止めされると共に、内レール２１ｂより室内側であって内レール金属材２４と室内樹脂上枠２３とが重合状態となっている部分において建物躯体７０に対してビス止めがなされている。また、下枠１０と同様に、室内樹脂上枠２３の室内側には上額縁材７４が設けられ、室内延出部２３ａの下面と上額縁材７４の下面とが同一平面状とされている。
【００６１】
図７に示すように、縦枠３０については、金属縦枠３１のフィン８が建物躯体７０に対してビス止めされ、室内樹脂縦枠３３と金属縦枠３１とが重合状態で建物躯体７０に対してビス止めされている。また、室内樹脂縦枠３３の室内側には縦額縁材７５が設けられ、室内延出部３３ａの内側面と縦額縁材７５の内側面とが同一平面状とされている。
【００６２】
次に、外障子４と内障子５について説明する。これらを構成する框体２は、室外側に金属材を配し、室内側に樹脂材を配した複合材からなるものである。この場合の樹脂下框４２と樹脂上框５２は、それぞれ内部に中空部を有するように形成されたもので、断熱性に優れたものである。また、枠側縦框６０ａの召合せ樹脂框６４も断面中空状に形成される。内障子５における召合せ框６０ｂの召合せ樹脂框６４はその内面側に立ち上がり片を有し、召合せ金属框６３との間に空間部を生じるようにしているので、これも他の樹脂縦框６２と同様の断熱性能を有している。
【００６３】
ガラス体３が室外面は金属材により、室内面は樹脂材により、それぞれ挟持されている点は、温暖地域向けであって障子に複合材を用いた図４、図５記載のサッシと同様である。また、金属下枠１１は前２パターンのサッシと同一のものを用いているので、外障子４と内障子５の戸車４３、４３間の寸法は、前２パターンのサッシと同じである。このサッシの框体２では、中空部を有する樹脂材、すなわち厚みの大きい樹脂材を用いていることにより、金属材の部分は厚みを小さく形成することで、戸車４３、４３間の寸法を前２パターンのサッシと合わせている。 
【００６４】
高断熱枠体に高断熱障子を納めてなるサッシは、以上のような構成からなるものである。枠体１と框体２のいずれについても、金属材の室内側に樹脂材を配設した複合材を用いているので、断熱性が高く、また室内側から見た意匠性もよい。特に、枠体１に樹脂材を設け、また框体２に中空部を有した樹脂材を配設しているので、寒冷地域における断熱基準を満たしたサッシとすることができる。その一方で、金属下枠１１や金属縦枠３１は前２パターンのサッシに用いたものと同一であるため、部品を共用化し低コスト化を図ることができる。
【００６５】
図１（Ｂ）に示す中断熱枠体は、図６及び図７に示す高断熱枠体の金属下枠１１室内側面に取付けられている端面樹脂下枠１２ｂを取り外したもので、それ以外の構成は高断熱枠体と同一である。中断熱枠体は地域区分III向けであり、高断熱枠体に比べると金属下枠１１の断熱性が低くなるものの、コストは抑えることができるので、中断熱枠体と高断熱枠体は選択的に採用することができる。
【００６６】
以上、本発明の実施形態について説明したが、本発明の適用はこの実施形態には限られず、その技術的思想の範囲内であれば様々に適用されうる。
【符号の説明】
【００６７】
１    枠体
２    框体
３    ガラス体
４    外障子
５    内障子
７    グレチャン
１０    下枠
１１    金属下枠
１１ａ  外レール
１１ｂ  内レール
１１ｄ  固定部
１２    樹脂下枠
１２ａ  中間樹脂体
１２ｂ  防露体
１３    樹脂片
１３ａ  室内延出部
２０    上枠
３０    縦枠
４０    下框
４１    金属下框
４２    樹脂下框
４３    戸車
５０    上框
６０    縦框
【図１】
2010281200.tif 000005
【図２】
2010281200.tif 000006
【図３】
2010281200.tif 000007
【図４】
2010281200.tif 000008
【図５】
2010281200.tif 000009
【図６】
2010281200.tif 000010
【図７】
2010281200.tif 000011